(57)【要約】  本発明は、電気回路を閉じるための開閉接点（１０１）を備える電気機械式開閉素子（１００）であって、上記開閉接点（１０１）が第１の開閉接点（１０１−１）と第２の開閉接点（１０１−２）とを含み、上記第１の開閉接点（１０１−１）と上記第２の開閉接点（１０１−２）とが、上記電気回路を閉じるために互いに接触可能であり、これらの開閉接点（１０１−１，１０１−２）のうちの少なくとも一方が、互いに接して配置された複数の密閉体（１０９）から形成され、液体（１０３）を収容する空隙（１１３）が上記複数の密閉体（１０９）間に配置される、電気機械式開閉素子（１００）に関する。
2020511738.tif 000002
【特許請求の範囲】
【請求項１】
電気回路を閉じるための開閉接点を備える電気機械式開閉素子であって、
前記開閉接点が第１の開閉接点と、第２の開閉接点とを含み、前記第１の開閉接点と前記第２の開閉接点とが、前記電気回路を閉じるために互いに接触可能であり、
前記第１の開閉接点および前記第２の開閉接点のうちの少なくとも一方が、互いに接して配置された複数の密閉体から形成され、液体を収容する空隙が前記複数の密閉体間に配置される、電気機械式開閉素子。
【請求項２】
前記第１の開閉接点が、少なくとも第１の開閉接点表面を有し、前記第２の開閉接点が第２の開閉接点表面を有し、前記第１の開閉接点表面および／または前記第２の開閉接点表面が、前記電気回路を閉じるために互いに接触可能で、前記第１の開閉接点表面および／または前記第２の開閉接点表面が、少なくとも１つの曲面、少なくとも１つの端部、少なくとも１つの頂点、および／または少なくとも１つの頂点を持った少なくとも１つの端部を有する、請求項１に記載の電気機械式開閉素子。
【請求項３】
前記複数の密閉体が、角錐、三角錐、しずく型物体、楕円体、マカロン型物体、および／または球体として、特に球体として構成される、請求項１または２に記載の電気機械式開閉素子。
【請求項４】
前記複数の密閉体が本体接触面を有し、互いに接して配置された前記複数の密閉体の前記本体接触面が、前記第１の開閉接点および／または前記第２の開閉接点の内部で接触することで、互いに接して配置された前記複数の密閉体間の前記空隙を画定する、請求項１から３のいずれか一項に記載の電気機械式開閉素子。
【請求項５】
前記複数の密閉体間の前記空隙が、キャピラリーカラムとして構成され、前記キャピラリーカラムが、毛細管現象により、前記キャピラリーカラム内に液体を保持するように構成される、請求項１から４のいずれか一項に記載の電気機械式開閉素子。
【請求項６】
少なくとも１つの前記開閉接点が、前記電気回路を閉じるための角錐頂点を有する角錐として構成され、前記角錐が、互いに接して配置された、複数層の密閉体から形成され、前記角錐が、特に三角錐、四角錐、五角錐、または六角錐として構成される、請求項１から５のいずれか一項に記載の電気機械式開閉素子。
【請求項７】
前記少なくとも１つの開閉接点が、前記電気回路を閉じるための円錐頂点を有する円錐として構成され、前記円錐が、互いに接して配置された、複数層の密閉体から形成される、あるいは少なくとも１つの前記開閉接点が、前記電気回路を閉じるための円錐上面を有する円錐として構成され、前記円錐が、互いに接して配置された、複数層の密閉体から形成される、請求項１から５のいずれか一項に記載の電気機械式開閉素子。
【請求項８】
少なくとも１つの前記開閉接点が、前記電気回路を閉じるための第１の円錐頂点を有する第１の円錐と、前記電気回路を閉じるための第２の円錐頂点を有する第２の円錐とを含む二重円錐として構成される、請求項７に記載の電気機械式開閉素子。
【請求項９】
各開閉接点が、互いに接して配置された複数の密閉体から形成され、液体を収容する空隙が前記複数の密閉体間に配置される、請求項１から８のいずれか一項に記載の電気機械式開閉素子。
【請求項１０】
前記第１の開閉接点および前記第２の開閉接点のうちの一方のみが、互いに接して配置された複数の密閉体から形成され、液体を収容する空隙が前記複数の密閉体間に配置され、もう一方の前記開閉接点が、液体を収容する空隙を全く有していない一体型開閉接点として構成され、前記一体型開閉接点が、特に開閉接触プレートまたは開閉接触バーとして構成される、請求項１から８のいずれか一項に記載の電気機械式開閉素子。
【請求項１１】
前記一体型開閉接点が、第１の接点厚を有し、互いに接して配置された複数の密閉体から形成される前記開閉接点が第２の接点厚を有し、前記第２の接点厚が前記第１の接点厚よりも厚く、特に前記第２の接点厚が前記第１の接点厚の２倍を超える、請求項１０に記載の電気機械式開閉素子。
【請求項１２】
前記複数の密閉体が、金属から成る密閉体として、または金属で被覆された密閉体として構成され、前記金属が、銅、銀、金、またはこれらの混合物を含む群から特に選択される、請求項１から１１のいずれか一項に記載の電気機械式開閉素子。
【請求項１３】
前記電気機械式開閉素子がハウジングを備え、前記ハウジングが、前記第１の開閉接点および前記第２の開閉接点を囲い、前記ハウジングの外部領域に対して、前記第１の開閉接点および前記第２の開閉接点を気密方式で特に密閉して封じ、前記ハウジングは、特に保護ガスを充填したハウジング内部を有し、前記保護ガスは、窒素、六フッ化硫黄、不活性ガス、またはこれらの混合ガスを含む群から特に選択される、請求項１から１２のいずれか一項に記載の電気機械式開閉素子。
【請求項１４】
少なくとも１つの前記開閉接点はそれぞれ、互いに接して配置された前記複数の密閉体が形成される保持プレートを有する、請求項１から１３のいずれか一項に記載の電気機械式開閉素子。
【請求項１５】
前記保持プレートは、前記第１の開閉接点および前記第２の開閉接点を接触させるために変形可能である、請求項１４に記載の電気機械式開閉素子。
【発明の詳細な説明】
【技術分野】
【０００１】
本発明は、電気回路を閉じるための開閉接点を備える電気機械式開閉素子、特にリレー接点付きリレーに関する。
【背景技術】
【０００２】
様々な種類の電気機械式開閉素子、特にリレーが様々な用途に利用されている。産業分野における典型的な用途としては、抵抗性、誘導性、または容量性機器であり得る、電気負荷の制御である。開閉接点が最大電圧で閉じ、最大電流で開く場合、開いた開閉接点に望ましくない開閉アークが生じてしまい得る。開閉アークは、オフに切り換える電気負荷、開閉接点の幾何学的特性および材料特性、並びに開閉接点の開離速度に依存する。開閉アークは、５，０００ケルビンから１５，０００ケルビンの間の温度を有し得る。開閉アークによる温度が十分高ければ、外気の化学反応が生じ得、硝酸が生成され得る。このように生成された硝酸は、開閉接点上に蓄積し、金属製の開閉接点と化学反応し得る。
【発明の概要】
【０００３】
したがって、本発明の目的は、改良した電気機械式開閉素子を提供することである。
【０００４】
この目的は、独立請求項の特徴により達成される。本発明の実施形態の利点は、従属項の主題、明細書の記載、および添付図面に示される。
【０００５】
本発明は、電気機械式開閉素子の第１の開閉接点および第２の開閉接点の間の液体の蓄積を低減するため、これらの開閉接点のうちの少なくとも一方が液体を収容可能な空隙を有するという知識に基づく。毛細管現象の発生により、液体は有利に空隙に入る。少なくとも１つの開閉接点内の空隙は、液体に対して十分に大きい容積を提供するため、第１の開閉接点および第２の開閉接点の間に残存する液体の量を大幅に低減できる。
【０００６】
ある態様によると、本発明は、電気回路を閉じるための開閉接点を備える電気機械式開閉素子、特にリレー接点付きリレーであって、上記開閉接点が第１の開閉接点と第２の開閉接点とを含み、上記第１の開閉接点と上記第２の開閉接点とが、上記電気回路を閉じるために互いに接触可能であり、これらの開閉接点のうちの少なくとも一方が、互いに接して配置された複数の密閉体から形成され、液体を収容する空隙が上記複数の密閉体間に配置される、電気機械式開閉素子に関する。
【０００７】
これらの開閉接点のうちの少なくとも１つ、具体的にはこれらの開閉接点のうちの一方または両方の開閉接点は、互いに接して配置される複数の密閉体で形成される。密閉体は、角錐、三角錐、しずく型物体、楕円体、マカロン型物体、および／もしくは球体、ならびに／またはその混合物などの、様々な幾何学的構造を有してもよい。ここで、密閉体は、互いに接して、開閉接点内に層構造を形成する。これにより、第１の開閉接点および／または第２の開閉接点の安定した導電構造が保証される。
【０００８】
密閉体は、その幾何学的形状により、少なくとも１つの開閉接点の容積を埋めることはなく、開閉接点内で、互いに接して配置された密閉体間に空隙が構成される。空隙は、液体を収容するように作用し、これにより、第１の開閉接点および第２の開閉接点の間に蓄積する液体の量が低減できる。さらに、互いに接して配置された密閉体は、第１の開閉接点および第２の開閉接点の間に発生する接着力を小さくできる。
【０００９】
ある実施形態では、上記第１の開閉接点が、第１の開閉接点表面を有し、上記第２の開閉接点が、第２の開閉接点表面を有し、上記第１の開閉接点表面および上記第２の開閉接点表面が、上記電気回路を閉じるために互いに接触可能で、上記第１の開閉接点表面および／または上記第２の開閉接点表面が、少なくとも１つの曲面、少なくとも１つの端部、少なくとも１つの頂点、および／または少なくとも１つの頂点を持った少なくとも１つの端部を有する。
【００１０】
第１の開閉接点表面および／または第２の開閉接点表面にある曲面、端部、頂点および／または少なくとも１つの頂点を有する端部は、第１の開閉接点および第２の開閉接点間の接触領域の総面積を低減するため、開閉接点間に生じる接着力が特に低くなる。
【００１１】
ある実施形態では、上記複数の密閉体が、角錐、三角錐、しずく型物体、楕円体、マカロン型物体、および／または球体として、特に球体として構成される。
【００１２】
少なくとも１つの開閉接点内に、角錐、三角錐、しずく型物体、楕円体、マカロン型物体、および／または球体を配置することで、密閉体間の空隙が残り、この空隙が効果的に液体を収容できる。少なくとも１つの開閉接点内に空隙の総容積を大きくとれることから、密閉体は特に球体として構成される。
【００１３】
ある実施形態では、上記複数の密閉体が本体接触面を有し、互いに接して配置された上記複数の密閉体の上記本体接触面が、上記第１の開閉接点および／または上記第２の開閉接点の内部で接触することで、互いに接して配置された上記複数の密閉体間の上記空隙を画定する。
【００１４】
開閉接点の内部では、密閉体は、密閉体の密集パッケージを形成し、密閉体の本体接触面は、隣接する密閉体の対応する本体接触面に接触する。第１の開閉接点および／または第２の開閉接点の内部に配置された密閉体の本体接触面は、効果的に空隙を画定する。
【００１５】
ある実施形態では、上記複数の密閉体間の上記空隙が、キャピラリーカラムとして構成され、上記キャピラリーカラムが、毛細管現象により、上記キャピラリーカラム内に液体を保持するように構成される。
【００１６】
毛細管現象は、液体の表面張力および、液体と、密閉体の表面との間の界面張力による発生する。特に、密閉体の小さい半径により、特に有効な毛細管現象が生じ、液体が効果的に空隙内に収容される。これにより、硝酸のような高粘性の液体の場合でも、液体を効果的にキャピラリーカラム内に収容できる。
【００１７】
ある実施形態では、少なくとも１つの上記開閉接点が、上記電気回路を閉じるための角錐頂点を有する角錐として構成され、上記角錐が、互いに接して配置された、複数層の密閉体から形成され、上記角錐が、特に三角錐、四角錐、五角錐、または六角錐として構成される。
【００１８】
角錐により、開閉接点内で密閉体が効果的に層状に配置されることが保証され、角錐頂点は電気回路を閉じるための開閉接点表面の低減を実現する。
【００１９】
ある実施形態では、上記少なくとも１つの開閉接点が、上記電気回路を閉じるための円錐頂点を有する円錐として構成され、上記円錐が、互いに接して配置された、複数層の密閉体から形成される、あるいは少なくとも１つの上記開閉接点が、上記電気回路を閉じるための円錐上面を有する円錐として構成され、上記円錐が、互いに接して配置された、複数層の密閉体から形成される。
【００２０】
円錐により、少なくとも１つの開閉接点内で密閉体が効果的に層状に配置されることが保証され、円錐頂点または円錐上面は、電気回路を閉じるための開閉接点表面の低減を実現する。
【００２１】
ある実施形態では、少なくとも１つの上記開閉接点が、上記電気回路を閉じるための第１の円錐頂点を有する第１の円錐と、上記電気回路を閉じるための第２の円錐頂点を有する第２の円錐とを含む二重円錐として構成される。
【００２２】
二重円錐は、密閉体の密集パッケージと、電気回路を閉じるための開閉接点の効果的な接触を保証することができる。
【００２３】
ある実施形態では、各開閉接点が、互いに接して配置された複数の密閉体から形成され、液体を収容する空隙が上記複数の密閉体間に配置される。
【００２４】
第１の開閉接点および第２の開閉接点の両方を、互いに接して配置される密閉体で形成することで、第１の開閉接点および第２の開閉接点の両方で、液体を収容する空隙を多数設けることができる。
【００２５】
ある実施形態では、これらの開閉接点のうちの一方のみが、互いに接して配置された複数の密閉体から形成され、液体を収容する空隙が上記複数の密閉体間に配置され、もう一方の上記開閉接点が、液体を収容する空隙を全く有していない一体型開閉接点として構成され、上記一体型開閉接点が、特に開閉接触プレートまたは開閉接触バーとして構成される。
【００２６】
この場合、２つの開閉接点のうちの一方のみを、空隙を有する密閉体で形成し、２つの開閉接点のうちのもう一方を、空隙を有してない一体型開閉接点として構成すればよい。一体型開閉接点が液体を収容する空隙を有さずに形成される結果として、一体型開閉接点は、手間をかけずに生産でき、したがってよりコスト効率が高い。この場合、空隙を有する密閉体で形成された、２つの開閉接点のうちの一方で、十分効果的に液体を収容できる。
【００２７】
ある実施形態では、上記一体型開閉接点が、第１の接点厚を有し、互いに接して配置された複数の密閉体から形成される上記開閉接点が第２の接点厚を有し、上記第２の接点厚が上記第１の接点厚よりも厚く、特に上記第２の接点厚が上記第１の接点厚の２倍を超える。
【００２８】
空隙を有する開閉接点の第２の接点厚が、空隙を有さない一体型開閉接点の第１の接点厚よりも大きいことで、両方の開閉接点が同じ接点厚を有する場合よりも、空隙を有する開閉接点の容積をかなり大きくできる。特に、第１の接点厚が、第２の接点厚が増えるのと同じ距離だけ低減されることで、第１の開閉接点および第２の開閉接点が同じ合計厚となることが保証される。電気機械式開閉素子が同じ合計厚の場合、空隙を有する開閉接点において、空隙の容積をより大きくすることで、液体容量を大幅に増大できる。
【００２９】
ある実施形態では、上記複数の密閉体が、金属から成る密閉体として、または金属で被覆された密閉体として構成され、上記金属が、銅、銀、金、またはこれらの混合物を含む群から特に選択される。
【００３０】
記載した金属は、開閉接点の効果的な導電性を保証する。特に、第１の開閉接点および／または第２の開閉接点は金で被覆される。
【００３１】
ある実施形態では、上記電気機械式開閉素子がハウジングを備え、上記ハウジングが、上記第１の開閉接点および上記第２の開閉接点を囲い、上記ハウジングの外部領域に対して、上記第１の開閉接点および上記第２の開閉接点を気密方式で特に密閉して封じ、上記ハウジングは、特に保護ガスを充填したハウジング内部を有し、上記保護ガスは、窒素、六フッ化硫黄、不活性ガス、またはこれらの混合ガスを含む群から特に選択される。
【００３２】
保護ガスを充填し、外部領域に対して気密方式で密閉して封じられたハウジングは、開閉アークが発生した際に化学的に生成される物質の量を低減し、したがって開閉接点に触れる、例えば硝酸のような液体の量を低減する。
【００３３】
ある実施形態では、少なくとも１つの上記開閉接点はそれぞれ、互いに接して配置された上記複数の密閉体が形成される保持プレートを有する。
【００３４】
保持プレートは、少なくとも１つの開閉接点内で、密閉体の配置を安定化する。
【００３５】
ある実施形態では、上記保持プレートは、上記第１の開閉接点および上記第２の開閉接点を接触させるために変形可能である。
【００３６】
本発明のさらなる実施形態を、添付の図面を参照にして説明する。
【図面の簡単な説明】
【００３７】
【図１】電気機械式開閉素子の開閉接点での液体蓄積を示す。
【図２】第１の実施形態に係る電気機械式開閉素子の、角錐として構成された開閉接点を示す。
【図３Ａ】さらなる実施形態に係る開閉接点を示す。
【図３Ｂ】さらなる実施形態に係る開閉接点を示す。
【図３Ｃ】さらなる実施形態に係る開閉接点を示す。
【図３Ｄ】さらなる実施形態に係る開閉接点を示す。
【発明を実施するための形態】
【００３８】
図１は、電気機械式開閉素子の開閉接点での液体の蓄積を示す。電気回路を閉じるための開閉接点１０１を備える電気機械式開閉素子１００は特に、リレー接点付きリレーとして構成される。
【００３９】
特にリレーである電気機械式開閉素子１００の場合、誘導負荷をオフに切り換えると、開閉アークが発生する。この開閉アークは、オフに切り換える負荷、開閉接点１０１の幾何学的特性、開閉接点１０１の材料特性、および開閉接点１０１の開離速度に応じて、５，０００ケルビンから１５，０００ケルビンの間の温度を有する。このような高温によって、電気機械式開閉素子１００の内部空気成分の化学反応が開閉アークにおいて起きる。即ち、酸素と窒素が反応して、窒素酸化物となる。その窒素酸化物は次に水または水蒸気と反応し、亜硝酸および硝酸となる。このようにして得られた気体硝酸が金属製の開閉接点１０１上で凝縮し、金属製の開閉接点１０１と反応して、金属硝酸塩が生成される。銅製の開閉接点１０１が使用される場合、硝酸が銅と反応し、硝酸銅と水が生成されて、開閉接点１０１上に着色層が形成される。銀製の開閉接点１０１が使用される場合、硝酸が銀と反応し、硝酸銀と水が生成される。金製の開閉接点１０１が使用される場合、金は不活性であるため、硝酸と金の反応は起きず、硝酸は液体沈殿物として開閉接点１０１上に沈殿し、開閉接点１０１上に残る。
【００４０】
開閉接点１０１間の液体蓄積により、閉じた開閉接点１０１が貼り付いてしまうことを避けるため、従来の開閉接点１０１は、一般的に高温低圧で加熱され、開閉接点１０１を囲み、密閉するハウジング内部は、特に窒素、六フッ化硫黄、またはアルゴンのような不活性ガス等の保護ガスで充填され、気密方式で密閉される。このように開閉接点１０１を封入することは、複雑になり得、長期間の気密封止に対して高い要求を有する。一方で、開放したハウジング内で開閉接点１０１を動作することは、密閉洗浄に対応していない、防爆用に対応していない等の動作上の制約が伴う。
【００４１】
図１に示すように、閉じた開閉接点１０１の場合、毛細管現象により、開閉接点１０１間に液体１０３のブリッジが形成される。ここで、図１に断面を示す上側開閉接点１０１は、矩形断面形状の矩形接触バーとして構成され、下側開閉接点１０１は、円形断面形状の円形接触バーとして構成される。
【００４２】
毛細管現象の原因となる毛管力は、開閉接点１０１の幾何学的特性と、液体１０３の表面張力とに依存する。
【００４３】
図２は、第１の実施形態に係る電気機械式開閉素子の、角錐として構成された開閉接点の断面を示す。開閉接点１０１は、第１の開閉接点表面１０５−１を有する第１の開閉接点１０１−１と、第２の開閉接点表面１０５−２を有する第２の開閉接点１０１−２とを備える。第１の開閉接点１０１−１および第２の開閉接点１０１−２が電気回路を閉じるために互いに接近する動きによって、第１の開閉接点表面１０５−１と第２の開閉接点表面１０５−２とが接触する。この場合、第１の開閉接点表面１０５−１と第２の開閉接点表面１０５−２との間に接点ギャップ１０７が形成される。
【００４４】
第１の開閉接点１０１−１および第２の開閉接点１０１−２のいずれも、互いに接する複数の密閉体１０９で形成され、液体１０３を収容する空隙１１３が密閉体１０９の間に形成される。しかし、第１の開閉接点１０１−１のみ、または第２の開閉接点１０１−２のみが互いに接する複数の密閉体１０９で形成され、２つの開閉接点１０１−１および１０１−２ののうちのもう一方が、液体１０３を収容する空隙１１３を有していない一体型開閉接点として形成されることも可能である。
【００４５】
第１の開閉接点１０１−１および第２の開閉接点１０１−２はそれぞれ、図２に従って、角錐頂点を有する角錐として構成される。第１の開閉接点１０１−１の角錐頂点に配置された第１の開閉接点表面１０５−１と、第２の開閉接点１０１−２の角錐頂点に配置された第２の開閉接点表面１０５−２との間の接触により、電気回路を閉じることができる。
【００４６】
第１の開閉接点１０１−１および第２の開閉接点１０１−２は、互いに接するように配置された複数層の密閉体１０９、特に球体から形成され、球体は特に銅、銀、金、もしくはその混合物から形成され、かつ／または球体は銅、銀、金、もしくはその混合物で被覆される。
【００４７】
球体はそれぞれ、複数の本体接触面１１１を有し、本体接触面１１１は、第１の開閉接点１０１−１および第２の開閉接点１０１−２の内部で、隣接する密閉体１０９の本体接触面１１１に接触し、それにより密閉体１０９間に液体１０３を収容する空隙１１３を画定する。
【００４８】
空隙１１３は、電気機械式開閉素子１００内に存在する硝酸または亜硝酸等の液体１０３が、毛細管現象により空隙１１３内に蓄積され収容されるような、キャピラリーカラムとして構成される。これにより、液体１０３が第１の開閉接点表面１０５−１および第２の開閉接点表面１０５−２の間に蓄積することが防止される。
【００４９】
接触する第１の開閉接点表面１０５−１および第２の開閉接点表面１０５−２は曲面であるため、２つのプレートが接触する場合と比較して、総面積が小さくなる。したがって、接触する第１の開閉接点表面１０５−１と第２の開閉接点表面１０５−２との間に結果として生じる接着力も、開閉接点表面１０５−１および１０５−２の半径が比較的大きい通常の接点と比較して、大幅に小さくなる。
【００５０】
球体として構成された密閉体１０９の小さい半径により、空隙１１３内の毛細管現象がより強くなり、硝酸等の粘性液体１０３も空隙１１３内に収容され、開閉接点表面１０５−１、１０５−２に粘着することはない。
【００５１】
したがって、図２に示す第１の開閉接点１０１−１および第２の開閉接点１０１−２の実施形態は、閉じた第１の開閉接点表面１０５−１と第２の開閉接点表面１０５−２との間の、例えば硝酸または亜硝酸のような液体１０３の蓄積を低減できる。これとともに、第１の開閉接点表面１０５−１および第２の開閉接点表面１０５−２の形状も、第１の開閉接点表面１０５−１および第２の開閉接点表面１０５−２の間に生じる残留接着力が極めて小さくなるように選択される。
【００５２】
図３Ａ、図３Ｂ、図３Ｃ、図３Ｄは、さらなる実施形態に係る開閉接点を示す。図３Ａ、図３Ｂ、図３Ｃ、図３Ｄに示す開閉接点１０１はそれぞれ第１の開閉接点１０１−１を示し、図３Ａ、図３Ｃ、および図３Ｄの密閉体１０９は、球体１０９として構成され、図３Ｂに示す密閉体１０９は、マカロン型物体１０９として構成され、物体１０９はそれぞれ複数の本体接触面１１１を有し、各本体接触面１１１は、隣接する物体１０９に接触する。
【００５３】
図３Ａは、電気回路を閉じるために、図３Ａには不図示の第２の開閉接点１０１−２に接触可能な第１の開閉接点１０１−１を示す。第１の開閉接点１０１−１は、互いに接して配置された、複数層１１５の特に球体１０９である密閉体１０９から形成される。第１の開閉接点１０１−１は、上端が第１の開閉接点表面１０５−１となる、特に四角錐である角錐として構成される。
【００５４】
図３Ｂは、電気回路を閉じるために、図３Ｂには不図示の第２の開閉接点１０１−２に接触可能な第１の開閉接点１０１−１を示す。第１の開閉接点１０１−１は、互いに接して配置された、複数層１１５の特にマカロン型物体１０９である密閉体１０９から形成される。第１の開閉接点１０１−１は、上端が第１の開閉接点表面１０５−１となる、特に四角錐である角錐として構成される。
【００５５】
図３Ｃは、電気回路を閉じるために、図３Ｃには不図示の第２の開閉接点１０１−２に接触可能な第１の開閉接点１０１−１を示す。第１の開閉接点１０１−１は、互いに接して配置された、複数層１１５の特に球体１０９である密閉体１０９から形成される。第１の開閉接点１０１−１は、第１の角錐頂点を有する第１の角錐、特に四角錐と、第２の角錐頂点を有する第２の角錐、特に四角錐とを含む、二重角錐として構成され、第１の角錐頂点および第２の角錐頂点が、第１の開閉接点表面１０５−１を形成する。
【００５６】
図３Ｄは、電気回路を閉じるために、図３Ｄには不図示の第２の開閉接点１０１−２に接触可能な第１の開閉接点１０１−１を示す。第１の開閉接点１０１−１は、互いに接して配置された、複数層１１５の特に球体１０９である密閉体１０９から形成される。第１の開閉接点１０１−１は、第１の円錐頂点を有する第１の円錐と、第２の円錐頂点を有する第２の円錐とを含む、二重円錐として構成され、第１の円錐頂点および第２の円錐頂点が、第１の開閉接点表面１０５−１を形成する。
【符号の説明】
【００５７】
１００：電気機械式開閉素子
１０１：開閉接点
１０１−１：第１の開閉接点
１０１−２：第２の開閉接点
１０３：液体
１０５−１：第１の開閉接点表面
１０５−２：第２の開閉接点表面
１０７：接点ギャップ
１０９：密閉体
１１１：本体接触面
１１３：空隙
１１５：密閉体の層
【図１】
2020511738.tif 000003
【図２】
2020511738.tif 000004
【図３Ａ）】
2020511738.tif 000005
【図３Ｂ）】
2020511738.tif 000006
【図３Ｃ）】
2020511738.tif 000007
【図３Ｄ）】
2020511738.tif 000008
【国際調査報告】
2020511738.tif 000009
2020511738.tif 000010
2020511738.tif 000011
2020511738.tif 000012